(57)【特許請求の範囲】
【請求項１】
音響振動を軸方向に生じる音響筒の外側に取り付けられ、前記音響筒の軸方向の異なる位置に前記音響筒の内側に通じる入口開口と出口開口とが形成された通気管と、
前記入口開口の軸方向片側の前記音響筒の内周から前記入口開口の軸方向反対側にかけて前記音響筒の径方向内方に傾斜して突き出した整流板とを有することを特徴とする熱音響機関用熱交換器。
【請求項２】
前記通気管を複数有し、
前記複数の通気管は、前記音響筒の軸方向の同じ位置で前記音響筒の周方向に間隔を隔てて配置され、
前記整流板は、前記音響筒の周方向に連続して形成されることを特徴とする請求項１記載の熱音響機関用熱交換器。
【請求項３】
前記音響筒の内側で前記出口開口に臨む位置に、蓄熱材を有することを特徴とする請求項１又は２記載の熱音響機関用熱交換器。
【発明の詳細な説明】
【技術分野】
【０００１】
本発明は、伝熱量が大きくできると共に質量流が抑制できる熱音響機関用熱交換器に関する。
【背景技術】
【０００２】
外燃機関であるスターリングサイクルを行う熱音響機関では、作動流体が封入された音響筒の長手方向に、外部の高温の熱源との熱交換を行う加熱側熱交換器と、熱サイクルを行った後の廃熱を外部に排出するための冷却側熱交換器とが設けられる。加熱側熱交換器と冷却側熱交換器との間には、温度勾配を保持するための再生器が配置される。
【０００３】
従来、熱交換器は、銅などの熱伝導率が高い材料を使用して、外部からの熱を熱伝導で音響筒内に取り込むように構成される。熱伝導による伝熱量は、次式で示される。
伝熱量＝Ｃ１×温度差×伝熱面積／伝熱距離
Ｃ１は、材料により決まる定数
【０００４】
熱源を電熱ヒータで構成した熱音響機関の一部を図４に示す。この熱音響機関では、加熱側熱交換器４１は、音響筒４２の外周に巻き付けられた電熱ヒータ４３と、音響筒４２の内部に組み込まれた内部フィン４４とを有する。冷却側熱交換器４５は、音響筒４２の外周に沿って冷却水を通過させる冷却筒４６と、音響筒４２の内部に組み込まれた内部フィン４７とを有する。再生器４８は、加熱側熱交換器４１の内部フィン４４と冷却側熱交換器４５の内部フィン４７との間の音響筒４２の内部に複数の金属メッシュ材料を積層してなる蓄熱材４９を充填したものである。
【０００５】
図４の加熱側熱交換器４１では、電熱ヒータ４３の温度が自在に調節できるので、温度差を大きくすることが容易である。また、この加熱側熱交換器４１は、音響筒４２の外周に直接、熱源である電熱ヒータ４３が巻き付けられているので、伝熱距離が短い。このように、温度差が大きく、しかも伝熱距離が短いので、大きな伝熱量が期待できる。
【先行技術文献】
【特許文献】
【０００６】
【特許文献１】特開２０１１−１２２５６７号公報
【発明の概要】
【発明が解決しようとする課題】
【０００７】
ところで、熱音響機関は、電熱ヒータのようにエネルギを消費して熱を発生する熱源を使用するのではなく、他のシステムで生じた廃熱を利用することができれば、省エネルギ効果が大きい。
【０００８】
排気を熱源とする熱音響機関の一部を図５に示す。この熱音響機関では、加熱側熱交換器５１は、音響筒４２の外周に取り付けられた外部フィン５２と、音響筒４２の内部に組み込まれた内部フィン４４とを有する。冷却側熱交換器４５と再生器４８は、図４のものと同じとする。
【０００９】
図５の加熱側熱交換器５１では、熱源として、内燃機関の排気、ボイラーの排気、焼却炉の排気などが利用できるが、排気の温度は電熱ヒータに比べると低温であるため、大きな温度差は得られない。
【００１０】
一方、外部フィン５２は、複数の突起５３が音響筒４２の外周から放射状に伸び、さらに各突起５３の表面から複数の枝状突起５４が突き出ていることで、排気に対する伝熱面積が大きい。しかし、排気に対する伝熱面積をより大きくするために突起５３の長さを長くすると、突起５３や枝状突起５４の先端から音響筒４２の外周までの伝熱距離が長くなる。また、排気に対する伝熱面積をより大きくするために突起５３の数を増やすと、突起肉厚（音響筒４２の周方向）が薄くなり、突起５３の先端から音響筒４２の外周に向かう熱流路の伝熱面積が小さくなる。このように、外部フィン５２を備えた加熱側熱交換器５１には、排気熱をより多く取り入れようと外部フィン５２を増大させると、伝熱距離が長くなったり、伝熱面積が小さくなったりするというジレンマがある。
【００１１】
外部フィン５２の代わりにヒートパイプを設けることも考えられる。しかし、ヒートパイプは、内部で熱を搬送する作動流体として水を使用している。このため、使用温度範囲が常温から２００℃までに限定される。排気熱の温度は、常温から２００℃までのみならず、２００℃以上のこともあり、しかも、温度は安定しない。したがって、排気熱を搬送するにはヒートパイプは不向きである。
【００１２】
熱音響機関には、ここまで述べた伝熱量の課題とは別に、次に述べる質量流の課題がある。
【００１３】
図６に示されるように、熱音響機関６１は、ループ状に閉じた音響筒６２に原動機６３が設けられる。原動機６３は、加熱器６４と再生器６５と冷却器６６とからなる。加熱器６４から冷却器６６までの温度勾配に起因して音響筒６２の軸方向に音響振動が発生する。
【００１４】
このとき、加熱器６４では作動流体が加熱によって膨張する。加熱器６４の図示右側は空間であるため、抵抗はないが、加熱器６４の図示左側は再生器６５の蓄熱材が占めているため、抵抗となる。したがって、膨張した作動流体は、蓄熱材の方よりも空間の方へ移動しやすい。加熱器６４で膨張した作動流体が空間の方へ移動することが繰り返され、ループ状に閉じた音響筒６２全体として、図示のように時計回りに旋回する作動流体の流れが発生する。このような全体的な作動流体の流れを質量流（ストリーミング）という。
【００１５】
質量流が生じると、加熱された作動流体が加熱器６４から離れ、冷却器６６で冷却された作動流体が再生器６５を経て加熱器６４に流れ込むと、原動機６３における作動流体が均熱化され、温度勾配が緩くなり、音響振動の発生が妨げられる。質量流は、熱音響機関の出力向上を妨げる大きな要因となる。
【００１６】
熱音響機関６１には、質量流を抑制する部材として、原動機６３から音響筒６２の軸方向に適宜離れた位置にゴム膜６７が設置される。ゴム膜６７は、音響振動に随伴して軸方向の一方と他方に交互に膨らむ振動をすることにより、音響振動を音響筒６２の軸方向に伝達することができると共に、質量流を遮断することができる。
【００１７】
図７に示される熱音響機関７１では、原動機７２の他にジェットノズル（テーパノズル）７３が設けられる。すなわち、ループ状に閉じた音響筒７４に、加熱器７５と再生器７６と冷却器７７とからなる原動機７２が設けられ、原動機７２から音響筒６２の軸方向に適宜離れた位置にジェットノズル７３が設置される。
【００１８】
ジェットノズル７３は、音響筒７４の軸方向のある位置（一方の位置）の内周から軸方向の別の位置（他方の位置）にかけて音響筒７４の径方向内方に傾斜して突き出した整流板が音響筒７４の周方向に連続して形成される。ジェットノズル７３は、音響筒７４の軸方向の一方の位置では大径開口を有し、他方の位置では小径開口を有し、大径開口と小径開口との間は中空となっているテーパ状の部材となる。
【００１９】
ジェットノズル７３の働きは、大径開口から小径開口へ向かう質量流を発生させることである。ジェットノズル７３は、発生する質量流で作動流体の膨張による質量流を相殺するよう、小径開口を加熱器７５に臨ませて設置される。
【００２０】
以上のように、熱音響機関６１では、ゴム膜６７により質量流を遮断し、熱音響機関７１では、ジェットノズル７３により質量流を相殺する。
【００２１】
しかし、ゴム膜６７は、熱音響機関６１の中で唯一の可動部材であり、熱音響機関６１の耐久性を低下させるので、問題である。ジェットノズル７３は、音響振動に損失を生じるので、質量流を相殺しても熱音響機関の出力が向上するとは限らないので、問題である。
【００２２】
そこで、本発明の目的は、上記課題を解決し、伝熱量が大きくできると共に質量流が抑制できる熱音響機関用熱交換器を提供することにある。
【課題を解決するための手段】
【００２３】
上記目的を達成するために本発明の熱音響機関用熱交換器は、音響振動を軸方向に生じる音響筒の外側に取り付けられ、前記音響筒の軸方向の異なる位置に前記音響筒の内側に通じる入口開口と出口開口とが形成された通気管と、前記入口開口の軸方向片側の前記音響筒の内周から前記入口開口の軸方向反対側にかけて前記音響筒の径方向内方に傾斜して突き出した整流板とを有するものである。
【００２４】
前記通気管を複数有し、前記複数の通気管は、前記音響筒の軸方向の同じ位置で前記音響筒の周方向に間隔を隔てて配置され、前記整流板は、前記音響筒の周方向に連続して形成されてもよい。
【００２５】
前記音響筒の内側で前記出口開口に臨む位置に、蓄熱材を有してもよい。
【発明の効果】
【００２６】
本発明は次の如き優れた効果を発揮する。
【００２７】
（１）伝熱量が大きくできる。
【００２８】
（２）質量流が抑制できる。
【図面の簡単な説明】
【００２９】
【図１】本発明の熱音響機関用熱交換器の構成図である。
【図２】本発明の原理を説明する図であり、（ａ）は音響振動の半周期を表し、（ｂ）は音響振動の残りの半周期を表す。
【図３】（ａ）〜（ｄ）は、本発明の他の実施形態を示す通気管の構成図である。
【図４】従来の熱音響機関の部分構成図である。
【図５】従来の熱音響機関の部分構成図である。
【図６】従来の熱音響機関の構成図である。
【図７】従来の熱音響機関の構成図である。
【発明を実施するための形態】
【００３０】
以下、本発明の一実施形態を添付図面に基づいて詳述する。
【００３１】
図１に示されるように、本発明に係る熱音響機関用熱交換器（以下、熱交換器）１は、音響振動を軸方向に生じる音響筒２の外側に取り付けられ、音響筒２の軸方向の異なる位置に音響筒２の内側に通じる入口開口３と出口開口４とが形成された通気管５と、入口開口３の軸方向片側の音響筒２の内周から入口開口３の軸方向反対側にかけて音響筒２の径方向内方に傾斜して突き出した整流板６とを有する。
【００３２】
通気管５の入口開口３と出口開口４は、音響筒２の内周と同一面の位置に形成され、音響筒２の径方向に向いている。通気管５は、音響筒２よりも十分に径が小さい細管からなる。通気管５は、入口開口３から音響筒２を貫通して音響筒２の径方向外方に伸びる往路部７と、音響筒２と平行に伸びるＵ字部８と、音響筒２の径方向内方に伸びて音響筒２を貫通して出口開口４に至る復路部９とを有する。
【００３３】
通気管５の往路部７及び復路部９の長さは、例えば、実験により得られた適切な値とされる。Ｕ字部８は、Ｕ字状あるいはコ字状に屈曲して音響筒２の軸と平行な方向に、所定の長さ伸びる。Ｕ字部８の長さは、例えば、実験により得られた適切な値とされる。
【００３４】
通気管５は、音響筒２の軸方向の同じ位置で音響筒２の周方向に間隔を隔てて複数本配置される。ここでは、１２本の通気管５が音響筒２の周方向に等間隔で配置されている。
【００３５】
整流板６は、入口開口３の軸方向片側では音響筒２の内周に接しており、入口開口３の軸方向反対側では音響筒２の内周から離れている。これにより、整流板６は、入口開口３の軸方向反対側に、音響筒２の軸方向に臨む軸向き開口１０を形成する。
【００３６】
整流板６は、音響筒２の周方向に連続して形成される。これにより、整流板６は、各入口開口３を内側から傾斜して覆うテーパ状リングとなる。同時に、このテーパ状リングは、音響筒２の内側で出口開口４に臨む位置に形成される加熱部１１に対して小径開口を臨ませ、その反対方向に大径開口を臨ませたジェットノズルに相当する。
【００３７】
熱交換器１は、音響筒２の内側で出口開口４に臨む位置、すなわち加熱部１１に、複数の金属メッシュ材料を積層してなる蓄熱材１２が充填される。
【００３８】
本実施形態では、熱交換器１は、加熱側熱交換器を構成するものであり、音響筒２の外側の通気管５は排気の雰囲気中に配置される。排気の流路については、ここでは特に限定しない。冷却側熱交換器４５と再生器４８は、図４、図５のものと同じとする。
【００３９】
図２を用いて本発明の熱交換器１の原理を説明する。
【００４０】
音響筒２では音響振動が軸方向に生じる。音響振動とは、作動流体が繰り返し反転移動することである。図２（ａ）のように作動流体が音響筒２の軸方向一方向に移動する周期と、図２（ｂ）のように作動流体が音響筒２の軸方向反対方向に移動する周期とが、交互に繰り返される。
【００４１】
図２（ａ）の状態では、入口開口３の周辺では、軸向き開口１０に対向して作動流体が移動しているため、動圧がそのまま軸向き開口１０に作用し、軸向き開口１０における圧力ＰＡは、
ＰＡ＝静圧＋動圧
となる。出口開口４の周辺では、出口開口４の開口面が作動流体の移動方向に沿っているため、動圧が作用せず、出口開口４における圧力ＰＢは、
ＰＢ＝静圧
となる。
【００４２】
図２（ｂ）の状態では、入口開口３の周辺では、軸向き開口１０の裏側から整流板６に向けて作動流体が移動しているため、軸向き開口１０における圧力ＰＡは、
ＰＡ＝静圧−動圧×Ｃ２
Ｃ２は、１より小さい正の実数
となる。動圧成分が小さくなるのは、移動している作動流体の一部が軸向き開口１０に巻き込まれるからである。出口開口４の周辺では、出口開口４の開口面が作動流体の移動方向に沿っているため、動圧が作用せず、出口開口４における圧力ＰＢは、
ＰＢ＝静圧
となる。
【００４３】
軸向き開口１０における圧力ＰＡを音響振動の周期より十分に長い時間平均すると、平均圧力ＭＰＡは、
ＭＰＡ＝静圧＋動圧×（１−Ｃ２）／２
となる。Ｃ２が１より小さい正の実数であるから、（１−Ｃ２）／２は正の実数となり、軸向き開口１０における平均圧力ＭＰＡは、静圧よりも大きくなる。一方、出口開口４における平均圧力ＭＰＢは、静圧に等しいので、軸向き開口１０における平均圧力ＭＰＡが出口開口４における平均圧力ＭＰＢよりも大きくなる。これにより、通気管５においては、軸向き開口１０から入口開口３を経由して出口開口４に向かって作動流体が移動することになる。
【００４４】
図１に戻って熱音響機関の動作を説明する。前述のようにして通気管５を移動する作動流体は、通気管５の管壁を介して外部の排気から熱を受け取り、高温となる。排気から作動流体への伝熱量を考察すると、伝熱面積は通気管５の表面積に相当し、伝熱距離は通気管５の管壁肉厚に相当する。よって、外部の排気から通気管５内の作動流体への伝熱量は十分に大きい。このとき通気管５において作動流体が得た熱量は、作動流体の移動によって音響筒２内に運ばれる。熱音響機関の音響振動においては、作動流体の変位振幅が大きく、また、周波数が高いので、通気管５内での作動流体の移動速度は大きい。このように、本発明の熱交換器１は、図５の加熱側熱交換器５１に比べると、外部の排気から通気管５内の作動流体への伝熱量が大きく、通気管５内での作動流体の移動速度が大きいため、外部から音響筒２内への伝熱量が向上する。
【００４５】
通気管５において高温となった作動流体が出口開口４から音響筒２内に戻ると、出口開口４の付近が高温となり、出口開口４の付近が加熱部１１として熱音響機関の動作に寄与する。このとき、加熱部１１に蓄熱材１２が設けられていると、蓄熱材１２が作動流体から熱を受け取って高温を保持するので、熱音響機関の動作が安定する。
【００４６】
以上説明したように、本発明の熱交換器１によれば、音響振動を軸方向に生じる音響筒２の外側に取り付けられ、音響筒２の軸方向の異なる位置に音響筒２の内側に通じる入口開口３と出口開口４とが形成された通気管５と、入口開口３の軸方向片側の音響筒２の内周から入口開口３の軸方向反対側にかけて音響筒２の径方向内方に傾斜して突き出した整流板６とを有するので、音響筒２の作動流体が通気管５を移動することで外部の熱が熱音響機関の加熱部１１に届けられ、伝熱量が大きくできる。
【００４７】
音響筒２の周方向に連続して形成された整流板６からなるテーパ状リングは、加熱部１１に対して小径開口を臨ませ、その反対方向に大径開口を臨ませたジェットノズルに相当する。したがって、図７で説明したものと同様に加熱部１１で熱膨張による質量流の抑制効果が得られる。
【００４８】
図３（ａ）〜図３（ｄ）に通気管の他の実施形態を示す。
【００４９】
図３（ａ）に示されるように、通気管３１は、音響筒２から放射状に伸びる途中で屈曲し、各通気管３１が平行になる。通気管３１は、熱交換器１の設置スペースが図の左右に狭いときに有効である。
【００５０】
図３（ｂ）に示されるように、通気管３２は、音響筒２から放射状に伸びる途中で音響筒２の周方向に繰り返し屈曲してジグザグ状を呈する。通気管３２は、直径の小さい設置スペースで伝熱面積を大きくすることができる。
【００５１】
図３（ｃ）に示されるように、通気管３３は、音響筒２から放射状に伸びる途中で音響筒２の軸方向に繰り返し屈曲してジグザグ状を呈する。通気管３３は、音響筒２の軸方向に伸びた設置スペースに対して有効である。
【００５２】
図３（ｄ）に示されるように、通気管３４は、音響筒２の軸方向に伸びる途中で音響筒２の径方向に繰り返し屈曲してジグザグ状を呈する。
【００５３】
通気管５の形状は、排気の流路の形状に合わせて選択するのが好ましい。
【００５４】
ここまでの実施形態では、通気管５にはフィンを形成しなかったが、通気管５の外周面や内周面にフィンを形成したり、溝を形成することで表面積を増加させてもよい。
【００５５】
通気管５の入口開口３と出口開口４の距離が長いと、出口開口４の近傍（加熱器１１）から入口開口３に作動流体が移動するときに出口開口４から入口開口３までの音響筒２が作動流体の熱を奪って音響筒２の外部（排気流路外）に放出し、通気管５に流れ込む作動流体の温度が低下する。通気管５における排気からの熱量が作動流体の温度低下分を補うのに消費されるので、熱音響機関にとって損失となる。したがって、入口開口３と出口開口４の距離はできるだけ短いのがよい。ただし、出口開口４から音響筒２に流入した高温の作動流体が蓄熱材１２に十分に熱を伝導させてから入口開口３に吸い込まれるよう、入口開口３と出口開口４の距離を所定長さ以上に確保するのが好ましい。
【００５６】
通気管５の径について考察すると、
通気管径＝音響筒径×π／通気管本数−通気管同士の隙間
となる。
【００５７】
通気管５の設計条件としては、外部から通気管５の管壁を介して入る熱量と通気管５の中を流れる作動流体が獲得する熱量とが等しいことから、
熱抵抗係数×通気管表面積／管壁厚さ×（排気温度−作動流体温度）
＝通気管断面積×通気管内流速×作動流体の単位体積当たりの熱容量
×（出口開口温度−入口開口温度）
という関係を満たすことが好ましい。
【００５８】
図１の実施形態では、通気管５の本数を１２本としたが、本発明はこれに限定されず、通気管５の本数は１本〜１１本でもよく、１３本以上でもよい。通気管５の径を一定とした場合、通気管５の本数が多ければ、加熱部１１に流れ込む作動流体の量が多くなり、加熱部１１への伝熱量が多くなる。また、通気管５での作動流体の移動速度を一定とした場合、通気管５の本数が多ければ、加熱部１１に流れ込む作動流体の量が多くなり、加熱部１１への伝熱量が多くなる。
【００５９】
図１の実施形態では、音響筒２の内側で出口開口４に臨む位置に、蓄熱材１２を有するものとしたが、蓄熱材１２の代わりに、従来と同様の内部フィンを有してもよい。
【００６０】
図１の実施形態では、熱交換器１を加熱側熱交換器に用いたが、熱交換器１を冷却側熱交換器４５にも用いることができる。この場合、熱交換器１は冷却筒４６（図４参照）の内部に設け、冷却水と作動流体との熱交換を行う。
【符号の説明】
【００６１】
１  熱交換器
２  音響筒
３  入口開口
４  出口開口
５  通気管
６  整流板
１２  蓄熱材
【図２】
0005772399.tif 000002
【図３】
0005772399.tif 000003
【図６】
0005772399.tif 000004
【図７】
0005772399.tif 000005
【図１】
0005772399.tif 000006
【図４】
0005772399.tif 000007
【図５】
0005772399.tif 000008